(57)【特許請求の範囲】
【請求項１】
少なくとも数字ボタンを含むインターフェイス画面を表示する表示部と、
現在時刻情報を取得する時計部と、
前記数字ボタンのいずれか一以上と関連付けた表示をすることにより時刻表示可能なマークを、取得した現在時刻情報に応じて取得するマーク取得部と、
取得したマークと関連付けることにより現在時刻を表示可能な前記インターフェイス画面上の数字ボタンを選択する選択部と、
選択部にて選択された数字ボタンと関連付けられている状態が利用者に認識可能となるように前記インターフェイス画面上に、取得したマークを時間情報と分情報を異なる態様にして同時に重畳表示する重畳表示部と、
を有する電子機器。
【請求項２】
前記選択部は、インターフェイスプログラムにおいて入力ボタンに関連付けられている引数に基づいて前記選択を行なう引数選択手段を有する請求項１に記載の電子機器。
【請求項３】
方位情報を取得する方位情報取得部を有し、
マーク取得部は、取得した方位情報にも応じてマークを取得する請求項１又は２に記載の電子機器。
【請求項４】
少なくとも数字ボタンを含むインターフェイス画面から数字ボタンを検出する検出ステップと、
現在時刻情報を取得する現在時刻情報取得ステップと、
前記数字ボタンのいずれか一以上と関連付けた表示をすることにより時刻表示可能なマークを、取得した現在時刻情報に応じて取得するマーク取得ステップと、
取得したマークと関連付けることにより現在時刻を表示可能な前記インターフェイス画面上の数字ボタンを選択する選択ステップと、
選択部にて選択された数字ボタンと関連付けられている状態が利用者に認識可能となるように前記インターフェイス画面上に、取得したマークを時間情報と分情報を異なる態様にして同時に重畳表示する重畳表示ステップと、
からなる電子機器の時計表示方法。
【請求項５】
方位情報を取得する方位情報取得ステップを有し、
マーク取得ステップは、取得した方位情報にも応じてマークを取得する請求項４に記載の電子機器の時計表示方法。
【発明の詳細な説明】
【技術分野】
【０００１】
本発明は、電子機器における時間及び方位の表示方法を行う技術に関する。
【背景技術】
【０００２】
電子機器は、一般的に時計表示機能を有する。例えば、パーソナルコンピュータ（以下、パソコンという）やＰＤＡ（Ｐｅｒｓｏｎａｌ Ｄｉｇｉｔａｌ Ａｓｓｉｓｔａｎｔｓ）では、一般的にディスプレイの隅に時計表示がされる。また、携帯電話においても時計表示機能を有するものが一般的である。携帯電話では、図１３に示すように、待受画面に重ねて時計表示されたり、図１４に示すように、メニュー画面の表示の邪魔にならないように、画面の隅に小さく時計表示されたりする。しかし、図１３のように、待受画面と時計表示を重ねて表示する場合には、待受画面の模様や色によっては時計表示の視認性が劣る。また、図１４のように、画面の隅に小さく時計表示された場合には、その表示を瞬時に見つけて直感的に現在時刻を認識することが困難である。
【０００３】
一方、時計表示を直感的に認識可能となるように表示する方法としては、例えば、図１５に示すような方法が考えられる。図１５では、例えば、１８時台であれば画面右下に時計表示を配置し、２４時台であれば画面右上に時計表示を配置している。さらに、何時台であるかは数字を大きく表示し、何分であるかは数字を小さく配置している。図１５では、１８時５８分を表示している。このようにして、図１５では時計表示位置を変更するなどすることで直感的に時刻を認識可能としている。図１５に示される時計表示では、ディスプレイに何も表示されていない場合には、直感的に認識可能で、デザイン性が高い時計表示を行うことができる。しかし、図１５に示される時計表示を利用した場合でも、待受け画像に模様が存在する場合には視認性が劣り、直感的に時刻を認識することができない。
【０００４】
そこで、特許文献１では、ディスプレイに表示された時計表示と待受け画面が重なり合った場合に、時計表示を待受け画像と重ならない位置に移動可能な技術が開示されている。
【特許文献１】特開２００３−８６９４号公報
【発明の開示】
【発明が解決しようとする課題】
【０００５】
しかしながら、電卓機能やソフトウェアキーボード機能を起動している場合など、ディスプレイ自体に数字を含むキーや画像が表示されている場合に、特許文献１に記載の技術を用いると、ディスプレイ上に複数の数字が混在してしまうため、どれが時計表示であるかを瞬時に判断することができず、直感的に現在時刻を認識することができないばかりが、キーの操作性にも劣るという問題が生じていた。
【課題を解決するための手段】
【０００６】
上記課題を解決するために、本発明では、電子機器に表示されるインターフェイス画面上の数字ボタンに、現在時刻情報に応じたマークを時間情報と分情報を異なる態様にして同時に重畳表示することにより、時計表示を行うことができる電子機器及び電子機器の時計表示方法を提案する。
【０００７】
また、さらに方位情報を取得し、現在時刻情報と方位情報とに応じたマークを関連付けて重畳表示する電子機器及び電子機器の時計表示方法を提案する。
【発明の効果】
【０００８】
以上のような構成をとる本発明の電子機器では、電卓機能やソフトウェアキーボード機能を起動して、ディスプレイ自体に数字を含むキーや画像が表示されている場合であっても、キーの操作性を損なうことなく、直感的に現在時刻を認識可能な時計表示を行うことができる。
【発明を実施するための最良の形態】
【０００９】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１、２、４などについて説明する。実施形態２は主として請求項３、５などについて説明する。
【００１０】
≪実施形態１≫（実施形態１の概念）実施形態１について説明する。図１に本実施形態における電子機器の時計表示の様子を例示している。図１では、携帯電話（０１００）におけるダイアルボタンである数字ボタン（０１０２）が、ソフトウェアキーボードとしてディスプレイ（０１０１）に表示されている場合に、表示されている数字ボタン（０１０２）にマーク（０１０３）を関連付けて重畳表示をすることにより、時計表示を行っている。図１は、大きな箱型１つと小さな箱型１つのマーク（０１０３）が数字ボタン（０１０２）の「２」に関連付けられており、午前又は午後２時１０分台であることを示している。このように、本実施形態における電子機器では、特定の数字ボタン（０１０２）にマーク（０１０３）を重畳表示して数字ボタンとマークが関連付けられている状態が利用者に認識できるように表示する。利用者は、一定のルールで関連付けられたマークを見ることで、直感的に現在時刻を認識することができるのである。
【００１１】
（実施形態１の構成）図２に本実施形態にかかる電子機器の機能ブロック図の一例を示す。本実施形態にかかる「電子機器」（０２００）は、「表示部」（０２０１）と、「時計部」（０２０２）と、「マーク取得部」（０２０３）と、「選択部」（０２０４）と、「重畳表示部」（０２０５）とからなり、選択部には、「引数選択手段」（０２０６）を備えていても良い。
【００１２】
図３に、本実施形態における電子機器に携帯電話を用いた場合に上記構成を実現するためのハードウェア構成を示す。図３に示す携帯電話は、主としてＣＰＵ（０３０１）、ＲＡＭ（０３０２）、ＲＯＭ（０３０３）、ディスプレイ（０３０４）、内部時計（０３０５）、これらを繋ぐシステムバス（０３０６）などからなる。
【００１３】
（実施形態１の構成の説明）「電子機器」（０２００）とは、ソフトウェアキーボード、WEB閲覧表示等にて数字ボタンを表示可能な機器をいう。例えば、パソコン、ＰＤＡ、携帯電話などが該当する。携帯電話では、通常はプッシュ式のダイアルボタンが備え付けられているが、図１に示すようにディスプレイにタッチパネル式でダイアルボタンが表示されるものであれば、本実施形態における時計表示がより見やすくなる。しかし、本実施形態における電子機器は、ディスプレイに数字ボタンが表示されるものであれば、このようなタッチパネル式のダイアルボタンを有するものに限られない。また、数字ボタンもダイアルボタンに限られず、例えば、携帯電話やパソコン、ＰＤＡにて電卓機能を起動した場合などにも、図１の場合と同様に数字ボタンが表示される。このように、電子機器は、図１に示すような携帯電話に限定されるものではない。
【００１４】
「表示部」（０２０１）は、数字ボタンを用いたインターフェイス画面を表示する機能を有する。表示部は、図３におけるディスプレイ（０３０４）などから構成され、ＲＡＭ（０３０２）やＲＯＭ（０３０３）に格納されたインターフェイス画面データを読み出してインターフェイス画面を表示する。図３では、ＲＯＭ（０３０３）のアドレスＡにインターフェイス画面データが格納されている。「数字ボタン」は、図１に示すダイアルボタンや、図４（Ａ）に示す電卓機能におけるテンキーなどが該当する。なお、数字ボタンは、必ずしも実際に数字が表示されていなくても良い。例えば、図１に示す「＊」、「＃」、図４（Ａ）に示す「．」、「＋／−」などの記号を表しているボタンであっても良い。また、図５に示すように、メニュー項目番号が画像データとして表された数字も数字ボタンに含まれる。「インターフェイス画面」とは、利用者に電子機器の操作を行わせるためなどに備える数字ボタンを含む画面である。
【００１５】
「時計部」（０２０２）は、現在時刻情報を取得するように構成されている。時計部は、図３に示す内部時計（０３０５）によって、現在時刻を取得する。ＣＰＵ（０３０１）等から現在時刻情報を取得する命令を受けると、時計部では内部時計（０３０５）に従った現在時刻情報を取得する。
【００１６】
「マーク取得部」（０２０３）は、前記数字ボタンのいずれか一以上と関連付けた表示をすることにより時刻表示可能なマークを、取得した現在時刻情報に応じて取得するように構成されている。マーク取得部は、図３に示すＣＰＵ（０３０１）、ＲＡＭ（０３０２）、ＲＯＭ（０３０３）等から構成される。時計部にて現在時刻情報が取得されると、マーク取得部では、ＣＰＵ（０３０１）にてＲＯＭ（０３０３）のアドレスＰ１に格納されているマーク取得プログラムをＲＡＭ（０３０２）のワーク領域に展開して起動し、同じくＲＯＭ（０３０３）のアドレスＢに格納されているマーク取得ルールに従って、現在時刻情報に応じたマークを取得する。取得されたマークは、ＲＡＭ（０３０２）のデータ領域のアドレスａに一時的に格納される。マークは、ＧＩＦ形式、ＪＰＧ形式、ＰＮＧ形式などの画像ファイルとしてＲＯＭ等に格納されている。特に透過機能を有するＧＩＦ形式やＰＮＧ形式が望ましい。「数字ボタンのいずれか一以上と関連付けた表示をすることにより時刻表示可能なマーク」とは、図１に示すような箱型のマーク等である。例えば、マーク取得部では、現在時刻情報に応じて、現在時刻が０分台（０〜１０分）であれば１つの大きな箱型のマーク、１０分台（１０分〜２０分）であれば１つの大きな箱型と１つの小さな箱型のマーク、２０分台（２０分〜３０分）であれば１つの大きな箱型と２つの小さな箱型のマーク、といった様に、何分台であるかに応じて小さな箱型を増やしたマークを取得する。マークは、予め現在時刻情報に応じた複数の画像ファイルを用意しておき、いずれかの画像ファイルを現在時刻情報に応じて取得することとしても良いし、一の画像ファイルを現在時刻情報に応じて複数重ね合わせるようにして取得することとしても良い。一の画像ファイルを複数重ね合わせる場合には、ユーザが重ね合わせた状態を認識できるように表示位置を少しずつずらして重ねあわせることが望ましい。このようなルールに基づいてマークを取得することで、小さな箱型の数で現在時刻が何分台であるかを直感的に示すことができる。マークは、図１に示すような箱型に限られず、丸型や星型などでもよく、さらに、現在時刻に応じて色彩を変化させるなどをすることにより、より直感的に現在時刻を示すことができる。マーク取得部にて取得されるマークは、こういった幾何学的な模様のほかに、文字やキャラクターなどであっても良い。また、マークは２以上の数字ボタンと関連付けて表示することとしてもよい。例えば、５０分台（５０分〜６０分）から０分台（０分〜１０分）に移行する間には２つの数字ボタンに関連付けた表示をすることで時刻表示可能なマークを取得してもよい。
【００１７】
「選択部」（０２０４）は、取得したマークと関連付けることにより現在時刻を表示可能な前記インターフェイス画面上の数字ボタンを選択するように構成されている。選択部は、図３に示すＣＰＵ（０３０１）、ＲＡＭ（０３０２）、ＲＯＭ（０３０３）等から構成される。マーク取得部にてマークが取得されると、選択部では、ＣＰＵ（０３０１）にてＲＯＭ（０３０３）のアドレスＰ２に格納されている選択プログラムをＲＡＭ（０３０２）のワーク領域に展開して起動し、インターフェイス画面上の数字ボタンを選択する。選択された数字ボタンの情報は、ＲＡＭのアドレスｂに一時的に格納される。
【００１８】
例えば、図１に示すように、インターフェイス画面（０１０１）にダイアルボタンである数字ボタン（０１０２）が表示されている場合には、選択部（０２０４）ではいずれか１以上のダイアルボタンを選択する。例えば、午前２時台、午後２時台であれば、「２」とのダイアルボタンを選択する。なお、図１において、午前、午後ともに１時台〜９時台の場合については、「１」〜「９」の数字ボタンを選択することができる。しかし、１０時、１１時、１２時は、直接的に表す数字ボタンが存在しないため、例えば１０時台の場合には「＊」を、１１時台の場合には「０」を、１２時台の場合には「＃」を選択するなどのルールを設定し、これをＲＡＭ（０３０２）やＲＯＭ（０３０３）に格納しておく。また、図４（Ａ）に示すような電卓機能のテンキーを数字ボタンとしてインターフェイス画面を表示部（０２０１）にて表示している場合には、１０時台〜１２時台の場合には、「．」、「０」、「＋／−」などのキーを選択する。図１、図４（Ａ）の場合には、記号を表しているボタンの位置から視覚的に関連付けられている時間帯を認識することもできるが、どの記号が何時台を表すものであるかはユーザが設定できるようにしても良い。なお、インターフェイス画面上に０〜９までの数字ボタンしか存在しない場合などには、１０時台の場合に「０」を選択し、１１時台の場合には「１」、１２時台の場合には「２」を選択するようにしても良い。また、さらに数字ボタンが少ない場合には、このような場合にも対応可能な所定のマーク取得ルールを定めておく必要がある。例えば、数字ボタンが１〜５までしか存在しない場合には、６時台〜１０時台はそれぞれ「１」〜「５」の数字ボタンを選択し、１１時台、１２時台は「１」、「２」の数字ボタンを選択するといったルールを定めておいても良いし、１時台〜５時台の間だけ対応する数字ボタンを選択するというルールを定めておいても良い。選択部では、これらの数字ボタンに関連付けられている数字を読み取り、マーク取得部にて取得したマークと関連付けることにより現在時刻を表示可能な数字ボタンを選択する。なお、マーク取得部にて取得されたマークが２以上の数字ボタンと関連付けた表示を行うことにより時刻表示可能なマークである場合には、選択部では２以上の数字ボタンを選択する。
【００１９】
さらに、図５に示すようにメニュー項目番号（０５０１）が表示されている場合には、選択部は、これらのメニューを表示しているインターフェイスプログラムにおいて左端の入力ボタンに関連付けられている引数に基づいて選択を行う引数選択手段（０２０６）を有していてもよい。例えば、利用者が、キー操作にてカーソルを移動するなどし、図５に示す「１」で示される画像が付された「受信箱」との項目を選択すると、引数としてａ＝１の値が渡されるようなインターフェイスプログラムであるとする。このように、各項目に対応する引数が存在する場合には、引数選択手段では、引数に基づいて数字ボタンの選択を行う。図５では、引数選択手段は、引数に基づいて「３」で示されている数字ボタンを選択している状態を示している。なお、図５は、午前又は午後３時０分台であることを示している。
【００２０】
「重畳表示部」（０２０５）は、選択部にて選択された数字ボタンと関連付けられている状態が利用者に認識可能となるように前記インターフェイス画面上に、取得したマークを重畳表示するように構成されている。重畳表示部は、図３に示すＲＡＭ（０３０２）、ディスプレイ（０３０４）等から構成されている。選択部にて数字ボタンが選択されると、重畳表示部では、ＲＡＭに一時的に格納されているマークと数字ボタンに関する情報を読み出し、読み出した情報に基づいてディスプレイ（０３０４）に表示されているインターフェイス画面上の数字ボタンにマークを重畳表示する。なお、このとき、重畳表示する位置は、選択部にて選択された数字ボタンのディスプレイ上の位置座標を検出し、この位置座標に基づいて、マークと数字ボタンとが関連付けられている状態が利用者に認識可能となるように、数字ボタンに重ねて、又は数字ボタンの近傍の位置に表示される。なお、図１では、箱型のマーク（０１０３）を数字ボタン「２」に重ねて表示を行っている。
【００２１】
図１のようにして、マークと選択部にて選択された数字ボタンとが関連付けられている状態が利用者に認識可能であれば、利用者はマークが関連付けられている数字ボタンにて何時台であるかを認識することができ、マークの表示態様（図１では箱が重なっている数）にて何分台であるかを認識することができる。
【００２２】
以上より構成される電子機器では、数字情報を表示しなくてもインターフェイス画面上に含まれている数字を用いて時計表示を行うことができる。例えば、図１では、マークが「２」とのソフトウェアキーボードに関連付けられている状態を認識することが可能であるので、午前２時台、または、午後２時台であることを認識することができる。また、大きな箱型１つと小さな箱型１つからなるマークが表示されているため、１０〜２０分であることが分かる。従って、図１に示す時計表示では、２：１０〜２：２０の間、又は、１４：１０〜１４：２０の間のいずれかであることが分かる。さらに、午前と午後に応じてマークの色や形を変更することにより、午前と午後の区別を認識可能とすることも可能である。例えば、午前２時台の場合には、マークを青系の色で統一し、午後２時台の場合には、マークを赤系の色で統一するなどとして区別することができる。同様に、図４（Ａ）についても午前又は午後２：１０〜２：２０の間であることが分かる。なお、図４（Ａ）において時間が経過し、午前又は午後２：３０〜２：４０の間となった場合には、図４（Ｂ）のように大きな箱型１つと小さな箱型３つからなるマークが表される。また、箱型のマークは、図４（Ｃ）に示すように、塗りつぶされたものであっても良い。
【００２３】
（実施形態１の具体例）本実施形態にかかる電子機器では、取得するマークの選択候補を複数用意してＲＯＭ（０３０３）等に格納しておくと、様々な時計表示を行うことができる。上述した箱型のマークの他にも種々の態様を取りうる。これを、図６にさらに例示する。なお、図６では、説明のため、全て選択部にて「２」の数字ボタンが選択された場合について示しており、図６Ａ〜Ｈはそれぞれ、２：１０、２：２０、２：３０、２：４０、２：５０の場合に取得したマークが重畳表示されている様子を示している。
【００２４】
図６Ａに示すのは、取得するマークが、点線で囲まれた透過領域に帯状の画像が含まれるマークの場合である。帯状の画像は、何分台かによって幅を広くしたり狭くしたりしても良いし、図６Ａに示すように表示位置を少しずつずらしても良い。図６Ａでは、数字ボタンに関連付けられた帯状の画像の太さや数字ボタン上の位置で現在時刻を認識することができる。
【００２５】
図６Ｂに示すのは、取得するマークが図６Ａと同様に帯状の場合であるが、何分台かに応じてその傾倒する角度が変化したマークを取得する場合である。この場合には、数字ボタンに関連付けられたマークがあたかも時計の長針の役割を果たし、現在時刻を認識することができる。
【００２６】
図６Ｃに示すのは、取得するマークが図１と同様に箱型のマークの場合であるが、何分台かに応じて、マークの大きさを大きくしている。図６Ｃでは、数字ボタンに関連付けられたマークの大きさにて現在時刻を認識することができる。
【００２７】
図６Ｄに示すのは、取得するマークがＬ字型のマークの場合であり、何分台かに応じてＬ字の本数が増えていく。図６Ｄでは、数字ボタンに関連付けられたＬ字型のマークの本数や大きさによって現在時刻を認識することができる。
【００２８】
図６Ｅに示すのは、取得するマークが、点線で囲まれた透過領域にカメなどのキャラクターの画像が含まれるマークの場合である。実際に重畳表示される画像は図６Ｅに示すような同一の画像であっても、何分台かに応じて透過領域におけるキャラクターが存在する位置が変化するため、カメが数字ボタン上を進んでいるように見える。このようにして、数字ボタンに関連付けられたカメの存在している位置によって、現在時刻を認識することができる。
【００２９】
図６Ｆに示すのは、取得するマークが図６Ｅと同様にキャラクターの場合であるが、何分台かに応じて異なるキャラクターを表示する。図６Ｆでは、１０分台には魚を表示し、３０分台にはキノコを表示し、５０分台では犬を表示している。このようにして、数字ボタンと関連付けられたキャラクターの種類によって、現在時刻を認識することができる。
【００３０】
図６Ｇに示すのは、取得するマークが図６Ｅと同様にキャラクターの場合であるが、何分台かに応じて少しずつそのキャラクターが変化していく様子を表示している。図６Ｇでは、花が少しずつ成長する様子を表示しており、数字ボタンと関連付けられた花の成長度合いで現在時刻を認識することができる。
【００３１】
以上のように、取得するマークの種類は様々であり、上記の態様に限られない。なお、図６Ａや図６Ｅに示すように、重畳表示する画像自体は変化しない場合は、透過領域を含まない画像のみをマークとしても良い。この場合には、マーク取得部（０２０３）に代えて、数字ボタンのいずれか一以上と関連付けた表示をすることにより、時刻表示可能なマークを、現在時刻に関わらずに設定されたマークを取得する設定マーク取得部などを備えても良い。また、この場合には、重畳表示部（０２０５）では選択部にて選択された数字ボタンと関連付けられている状態が利用者に認識可能となるように、取得したマークをインターフェイス画面上に重畳表示する位置座標を現在時刻情報に応じて変化させる現在時刻対応重畳表示手段を備えても良い。
【００３２】
（実施形態１の処理の流れ）本実施形態における処理の流れを図７の処理フローに示す。本実施形態における時計表示方法では、まず、インターフェイス画面から数字ボタンを検出する（Ｓ０７０１：検出ステップ）。インターフェイス画面は、上述の通り、ダイアルボタンや電卓のテンキーを表示したソフトウェアキーボードなどの数字ボタンを含む画面である。このとき、ディスプレイ等に表示されているインターフェイス画面が数字ボタンを含むか否かを数字ボタンに関連付けられた引数を検索することによって検出するようにしても良い。次に、現在時刻情報を取得する（Ｓ０７０２：現在時刻情報取得ステップ）。なお、Ｓ０７０１とＳ０７０２との前後関係は逆であっても良い。現在時刻情報を取得すると、前記数字ボタンのいずれか一以上と関連付けた表示をすることにより時刻表示可能なマークを、取得した現在時刻情報に応じて取得する（Ｓ０７０３：マーク取得ステップ）。取得するマークの種類は、上述の具体例に記載の通りである。マークを取得すると、取得したマークと関連付けることにより現在時刻を表示可能な前記インターフェイス画面上の数字ボタンを選択する（Ｓ０７０４：選択ステップ）。選択ステップでは、入力ボタンに関連付けられている引数に基づいて入力ボタンを選択してもよい。選択部にて数字ボタンが選択されると、選択された数字ボタンと関連付けられている状態が利用者に認識可能となるように前記インターフェイス画面上に、取得したマークを重畳表示する（Ｓ０７０５：重畳表示ステップ）。重畳表示ステップにて、取得したマークが選択ステップにて選択された数字ボタンと関連付けられている様子が利用者に認識可能となる。数字ボタンは、現在時刻が何時間台であるかに応じて選択されているため、利用者は、マークが関連付けられている数字ボタンから、現在時刻が何時間台であるかを認識することができる。また、マークは、現在時刻が何分台であるかに応じて取得されているため、利用者は、マークの態様によって現在時刻が何分台であるかを認識することができる。実際には、利用者は、マークと、関連付けられている数字ボタンとを一目で同時に認識することができるため、直感的に現在時刻を把握することができる。また、このとき、現在時刻を表すための数字を新たに表示するわけではないので、表示部に表示されているソフトウェアキーボードなどの操作性を損ねる虞もない。
【００３３】
（実施形態１の効果）以上のような構成をとる本実施形態の電子機器では、電卓機能やソフトウェアキーボード機能を起動して、ディスプレイ自体に数字を含むキーや画像が表示されている場合であっても、キーの操作性を損なうことなく、直感的に現在時刻を認識可能な時計表示を行うことができる。
【００３４】
≪実施形態２≫（実施形態２の概念）実施形態２について説明する。図８に本実施形態における電子機器の時計表示の様子を例示している。本実施形態における電子機器（０８００）では、実施形態１に記載の電子機器の機能に加えて、さらに方位情報を取得し、取得した方位情報に応じたマーク（０８０３）をディスプレイ（０８０１）の数字ボタン（０８０２）に重畳表示する。図８では、方位情報に基づいて、マークが南北の方向に向くように重畳表示されている様子を示している。
【００３５】
（実施形態２の構成）図９に本実施形態にかかる電子機器の機能ブロック図の一例を示す。本実施形態にかかる「電子機器」（０９００）は、「表示部」（０９０１）と、「時計部」（０９０２）と、「マーク取得部」（０９０３）と、「選択部」（０９０４）と、「重畳表示部」（０９０５）と、「方位情報取得部」（０９０６）とからなる。方位情報取得部とマーク取得部以外は実施形態１と同様であるため説明を省略する。
【００３６】
図１０に、本実施形態における電子機器に携帯電話を用いた場合に上記構成を実現するためのハードウェア構成を示す。図１０に示す携帯電話は、主としてＣＰＵ（１００１）、ＲＡＭ（１００２）、ＲＯＭ（１００３）、ディスプレイ（１００４）、内部時計（１００５）、磁気方位センサ（１００６）、これらを繋ぐシステムバス（１００７）などからなる。
【００３７】
（実施形態２の構成の説明）「方位情報取得部」（０９０６）は、方位情報を取得するように構成されている。方位情報とは、方位を示す情報である。方位情報取得部は、図１０における磁気方位センサ（１００６）などから構成される。磁気方位センサとは、２つの磁気センサで地磁気の磁束密度を測定し方位を測定するセンサである。方位情報取得部（０９０６）では、磁気方位センサなどにより北の方角を検知することができるため、電子機器が向いている方位に対して、北がどの方向であるかという方位情報を取得することができる。また、電子機器に対する北の方角が認識できれば、電子機器が向いている方位情報を取得することもできる。さらに、方位情報取得部にＧＰＳ等を備え、ナビゲーションシステムを搭載したＰＤＡや携帯電話では、目的地の方位を示す方位情報を取得しても良い。
【００３８】
本実施形態における「マーク取得部」（０９０３）は、実施形態１の機能に加えて、取得した方位情報にも応じてマークを取得するように構成されている。「方位情報に応じてマークを取得する」とは、例えば、方位情報取得部にて取得された方位情報として、電子機器が向いている方位に対して、北がどの方向であるかという方位情報を取得すると、その方角を示すようなマークを取得することである。図８に示すように、電子機器を平面的に見て右上の方向が北であれば、インターフェイス画面上に重畳表示されたマークが全体として右上がりとなるマークを取得する。このようなマークを重畳表示部（０９０５）にて数字ボタンの左下に表示すると、利用者はマークが北の方角を指し示しているように認識することができる。なお、図８の状態にて電子機器を右回転あるいは左回転させると、電子機器から見た北の方向が変化するため、取得するマークの態様も変化する。このように、電子機器の向きを変えることでマークの態様を変化させることができ、電子機器のアミューズメント要素を向上させることもできる。
【００３９】
また、マーク取得部（０９０３）は、実施形態１に記載したとおり、現在時刻情報にも応じてマークを取得することができる。このため、本実施形態におけるマーク取得部では、現在時刻情報と方位情報に基づいて電子機器から見て太陽が存在する方向を算出して、太陽の存在する方向に応じたマークを取得することもできる。図１１に太陽の存在する方向に応じたマークを取得して重畳表示した場合の電子機器（１１００）を示す。図１１に示すように、太陽の存在する方向が電子機器を平面的に見て右上の方向である場合には、インターフェイス画面（１１０１）上に重畳表示されたマーク（１１０３）が全体として右上がりとなるマークを取得する。このとき、取得するマークの色を暗色系の色とし、取得したマークが数字ボタン（１１０２）と関連付けられて数字ボタンの左下に重畳表示されると、あたかも数字ボタン（１１０２）に影ができたように見える。なお、太陽の位置に応じたマークは、日中のみ表示することとしても良いし、太陽の方角に応じてマークの長さ（すなわち影の長さ）を変更しても良い。
【００４０】
また、実施形態１と同様に、マーク取得部（０９０３）に代えて、数字ボタンのいずれか一以上と関連付けた表示をすることにより、時刻表示可能なマークを、現在時刻に関わらずに設定されたマークを取得する設定マーク取得部などを備えても良い。また、この場合には、重畳表示部（０９０５）についても、選択部（０９０４）にて選択された数字ボタンと関連付けられている状態が利用者に認識可能となるように、取得したマークをインターフェイス画面上に重畳表示する位置座標を現在時刻情報に応じて変化させる現在時刻対応重畳表示手段を備えても良い。
【００４１】
本実施形態における電子機器では、方位情報に基づいたマークを取得することで、電子機器の時計表示から方位を知ることができ、さらに、太陽の位置等を知ることもできる。例えば、図８では利用者は午後又は午前２時２０分を示していることを認識可能であり、さらに、北の方角を認識することができ、図１１では利用者は午後２時１０分を示していることを認識可能であり、さらに、太陽が存在する位置を認識することができる。
【００４２】
（実施形態２の処理の流れ）本実施形態における処理の流れを図１２の処理フローに示す。本実施形態における時計表示方法では、まず、インターフェイス画面から数字ボタンを検出する（Ｓ１２０１：検出ステップ）。このとき、ディスプレイ等に表示されているインターフェイス画面が数字ボタンを含むか否かを数字ボタンに関連付けられた引数を検索することによって検出するようにしても良い。次に、現在時刻情報を取得する（Ｓ１２０２：現在時刻情報取得ステップ）。さらに、方位情報を取得する（Ｓ１２０３：方位情報取得ステップ）。なお、Ｓ１２０１からＳ１２０３の前後関係は問わず、例えば方位情報取得ステップが先であっても良い。現在時刻情報及び方位情報を取得すると、前記数字ボタンのいずれか一以上と関連付けた表示をすることにより時刻表示可能なマークを、取得した現在時刻情報と方位情報に応じて取得する（Ｓ１２０４：マーク取得ステップ）。取得する現在時刻情報及び方位情報に応じたマークは、太陽が存在する方向等に応じたマークであっても良い。マーク取得ステップにてマークを取得すると、取得したマークと関連付けることにより現在時刻を表示可能な前記インターフェイス画面上の数字ボタンを選択する（Ｓ１２０５：選択ステップ）。選択ステップでは、入力ボタンに関連付けられている引数に基づいて入力ボタンを選択してもよい。選択部にて数字ボタンが選択されると、選択された数字ボタンと関連付けられている状態が利用者に認識可能となるように前記インターフェイス画面上に、取得したマークを重畳表示する（Ｓ１２０６：重畳表示ステップ）。重畳表示ステップにて、取得したマークが選択ステップにて選択された数字ボタンと関連付けられている様子が利用者に認識可能となる。数字ボタンは、現在時刻が何時間台であるかに応じて選択されているため、利用者は、マークが関連付けられている数字ボタンから、現在時刻が何時間台であるかを認識することができる。また、マークは、現在時刻が何分台であるかに応じて取得されているため、利用者は、マークの態様によって現在時刻が何分台であるかを認識することができる。実際には、利用者は、マークと、関連付けられている数字ボタンとを一目で同時に認識することができるため、直感的に現在時刻を把握することができる。さらに、マークは方位情報に応じた方向に表示されており、利用者は、北の方角や太陽の方角を一目で認識することができる。また、このとき、現在時刻を表すための数字等を新たに表示するわけではないので、表示部に表示されているソフトウェアキーボードなどの操作性を損ねる虞もない。
【００４３】
（実施形態２の効果）以上のような構成をとる本実施形態の電子機器では、電卓機能やソフトウェアキーボード機能を起動しているなど、ディスプレイ自体に数字を含むキーや画像が表示されている場合であっても、キーの操作性を損なうことなく、直感的に時刻認識が可能な時計表示を行うことができ、さらに、時計表示にて方位や太陽の位置をも表すことができる。このため、利用者は、電子機器のディスプレイを見ることで、現在時刻のみならず、方位までを直感的に認識することができる。
【図面の簡単な説明】
【００４４】
【図１】実施形態１の時計表示方法を説明する図
【図２】実施形態１機能ブロック図
【図３】実施形態１ハードウェア構成を表す図
【図４】実施形態１の他の時計表示方法を説明する図（１）
【図５】実施形態１の他の時計表示方法を説明する図（２）
【図６】実施形態１の他の時計表示方法を説明する図（３）
【図７】実施形態１の処理の流れを説明する図
【図８】実施形態２の時計表示方法を説明する図
【図９】実施形態２の機能ブロック図
【図１０】実施形態２のハードウェア構成を表す図
【図１１】実施形態２の他の時計表示方法を説明する図
【図１２】実施形態２の処理の流れを説明する図
【図１３】従来技術における時計表示方法（１）
【図１４】従来技術における時計表示方法（２）
【図１５】従来技術における時計表示方法（３）
【符号の説明】
【００４５】
０１００，０２００      電子機器
０１０１      ディスプレイ
０１０２      数字ボタン
０１０３      マーク
０２０１      表示部
０２０２      時計部
０２０３      マーク取得部
０２０４      選択部
０２０５      重畳表示部
０２０６      引数選択手段
０９０６      方位情報取得部
Ｓ０７０１    検出ステップ
Ｓ０７０２    現在時刻情報取得ステップ
Ｓ０７０３    マーク取得ステップ
Ｓ０７０４    選択ステップ
Ｓ０７０５    重畳表示ステップ
【図１】
0004526505.tif 000002
【図２】
0004526505.tif 000003
【図３】
0004526505.tif 000004
【図４】
0004526505.tif 000005
【図５】
0004526505.tif 000006
【図６】
0004526505.tif 000007
【図７】
0004526505.tif 000008
【図８】
0004526505.tif 000009
【図９】
0004526505.tif 000010
【図１０】
0004526505.tif 000011
【図１１】
0004526505.tif 000012
【図１２】
0004526505.tif 000013
【図１３】
0004526505.tif 000014
【図１４】
0004526505.tif 000015
【図１５】
0004526505.tif 000016